(57)【要約】【課題】浴槽と浴槽前床との仕切部に設けられる固定板の浴槽前床側における機能性を高めることができる浴室ユニットを提供する。【解決手段】浴室ユニット１００は、湯を溜める浴槽１と、浴槽１の上縁部１０に配設されており、浴槽１と浴槽１に隣接する浴槽前床５０とを仕切る仕切部４とを備える。仕切部４は、上縁部１０の一端側に固定板４１、他端側に開閉可能な扉４２を有し、固定板４１の浴槽前床５０側を覆うパネル４３を備える。【選択図】図１
2019143410.tif 000002
【特許請求の範囲】
【請求項１】
湯を溜める浴槽と、
前記浴槽の上縁部に配設されており、前記浴槽と前記浴槽に隣接する浴槽前床とを仕切る仕切部と、を備える浴室ユニットにおいて、
前記仕切部は、前記上縁部の一端側に固定板、他端側に開閉可能な扉を有し、
前記固定板の前記浴槽前床側を覆うパネルを備えることを特徴とする浴室ユニット。
【請求項２】
前記固定板は、前記浴槽側から前記浴槽前床側への漏水を抑制しており、
前記パネルには、機能部品が取り付けられることを特徴とする請求項１に記載の浴室ユニット。
【請求項３】
前記固定板は透明性を有し、
前記パネルは、前記上縁部に沿って前記一端側から前記固定板の中途部まで設けられていることを特徴とする請求項１または２に記載の浴室ユニット。
【発明の詳細な説明】
【技術分野】
【０００１】
本発明は、浴室ユニットに関する。
【背景技術】
【０００２】
浴室ユニットは、湯を溜める浴槽と、浴槽に隣接して配設された浴槽前床を有する。浴室ユニットは、周囲を壁パネル、上方を天井パネルで覆われている。浴室ユニット内の空間には、浴槽のほか、洗面器やトイレが設けられることもあり、ユーザがより快適に浴室ユニットを利用するための工夫がなされている。
【０００３】
例えば、特許文献１には、浴槽と浴槽前床とを隔てる仕切部を設けた浴室ユニットが開示されている。仕切部は、固定仕切りと、引き戸である扉を有する。浴室ユニットは、浴槽側にシャワー装置が設けられており、浴槽前床側に便器装置、洗面器およびカウンタ等が設けられている。
【先行技術文献】
【特許文献】
【０００４】
【特許文献１】特開平０４−２５０２７０号公報
【発明の概要】
【発明が解決しようとする課題】
【０００５】
特許文献１に記載の浴室ユニットは、仕切部に設けた固定板の材質などが不明であるが、固定板の材質として例えば浴槽側に対する耐水性を考慮してガラス材を用いた場合、浴槽前床側に配設される洗面器およびカウンタとの接続性が悪く、隙間が空くと浴槽前床側の見栄えが悪くなる。
【０００６】
また、浴槽前床側における機能性を高めるために、浴槽前床を囲む壁部に棚やタオル掛けなどの機能部品を配置する場合、固定板の材質がガラス材であると、機能部品をねじ止め等によって固定することができなかった。固定板は、ガラス材を用いて浴槽側に対する耐水性を考慮した場合、浴槽前床側に配置される洗面器や、カウンタおよび機能部品等との接続および配置等の機能性が損なわれてしまうという問題点があった。
【０００７】
本発明は、斯かる事情に鑑みてなされたものであり、その目的とするところは、浴槽と浴槽前床との仕切部に設けられる固定板の浴槽前床側における機能性を高めることができる浴室ユニットを提供することにある。
【課題を解決するための手段】
【０００８】
本発明に係る浴室ユニットは、湯を溜める浴槽と、前記浴槽の上縁部に配設されており、前記浴槽と前記浴槽に隣接する浴槽前床とを仕切る仕切部と、を備える浴室ユニットにおいて、前記仕切部は、前記上縁部の一端側に固定板、他端側に開閉可能な扉を有し、前記固定板の前記浴槽前床側を覆うパネルを備えることを特徴とする。
【発明の効果】
【０００９】
本発明によれば、浴室ユニットは、浴槽と浴槽前床との仕切部に設けられる固定板の浴槽前床側における機能性を高めることができる。
【図面の簡単な説明】
【００１０】
【図１】本発明の実施形態に係る浴室ユニットの外観を示す斜視図である。
【図２】本発明の実施形態に係る浴室ユニットの縦断面図である。
【図３】図２のＡ−Ａ線による断面図である。
【図４】パネルの外観を示す斜視図である。
【図５】図４に示すＢ−Ｂ線によるパネルの断面図である。
【図６】図６（ａ）および（ｂ）は、図２に示すＡ−Ａ線による固定板およびパネル部分を拡大した断面図である。
【図７】変形例に係る浴室ユニットの外観を示す模式図である。
【図８】別の変形例に係る浴室ユニットの図３に相当する断面図である。
【発明を実施するための形態】
【００１１】
以下、本発明を好適な実施の形態をもとに図１から図８を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１２】
（実施形態）
図１は本発明の実施形態に係る浴室ユニット１００の外観を示す斜視図、図２は本発明の実施形態に係る浴室ユニット１００の縦断面図、図３は図２のＡ−Ａ線による断面図である。尚、図１においては浴室ユニット１００の手前側の壁パネルを省略した。浴室ユニット１００は、浴槽１、シャワー装置２、給水装置３、仕切部４、浴槽前床５０および壁部６０等を有する。浴槽１は、平面視矩形状をなし、湯を溜めることができる深皿状である。浴槽１は、上縁部１０に配設された壁部６０および仕切部４によって周囲が覆われ、上方を天井６１によって覆われている。仕切部４は、浴槽１の上縁部１０の４辺のうち、浴槽１に隣接する浴槽前床５０側の一辺に設けられている。
【００１３】
仕切部４は、固定板４１および開閉可能な引き戸である扉４２を有しており、浴槽１と浴槽前床５０とは、間仕切りとしての固定板４１および扉４２によって仕切られている。固定板４１は仕切部４が配設された浴槽１の上縁部１０における一端側に設けられており、扉４２は他端側に設けられている。固定板４１の浴槽前床５０側には、固定板４１を覆うパネル４３が設けられている。浴室ユニット１００への入り口６２には、引き戸である開閉扉６３が設けられ、入り口６２を開閉することができる。尚、開閉扉６３は引き戸に限られず、開き戸、引違い戸、折れ戸などであってもよい。
【００１４】
浴槽前床５０には洗面器７０、便器装置７１およびカウンタ７２等が配置されている。浴槽前床５０の部分における壁部６０ｃには、鏡７３、および衣類やタオルを収納する収納棚７４などを配置する。また、パネル４３には、タオル掛け７５およびフック７６などを配置する。洗面器７０、便器装置７１、カウンタ７２、鏡７３、収納棚７４、タオル掛け７５およびフック７６等は、ユーザが浴槽前床５０を使用する際に機能を発揮する機能部品である。浴槽前床５０は、これらの機能部品を備えることで、ユーザにとって利用性が高い空間を提供する。
【００１５】
仕切部４において、固定板４１は、専ら浴槽１側の水仕舞いに用い、固定板４１を覆うように設けたパネル４３は、浴槽前床５０側における機能性を高めるために用いられる。尚、浴槽前床５０は、水の受け皿として機能させるものではなく、排水口を設ける必要はないが、床面の洗い流しのために排水口を設けてもよい。
【００１６】
浴槽１は、底部１１に排水栓１２、および内側面等にオーバーフロー栓（図示略）を有し、排水栓１２を閉状態にして浴槽１に湯を溜めることができ、排水栓１２を開状態にして浴槽１から湯を抜く。浴槽１の長手方向の一端側における壁部６０ｂには、シャワー装置２および給水装置３が配設されている。ユーザは、浴槽１内において、シャワー装置２からの湯水を浴び、給水装置３によって浴槽１に湯を溜めて入浴する。
【００１７】
仕切部４の扉４２は、上述のとおり引き戸であり、固定板４１の浴槽１側をスライドし、固定板４１が設けられた浴槽１の上縁部１０の一端側に対して反対側となる他端側を開口させる。固定板４１および扉４２は、例えば、長方形状に組み立てられた框の内側にガラス製または樹脂製等の板体を嵌め込んで構成されており、透明性を有することで浴室ユニット１００内の空間の見通しが良く、また空間が広いという印象をユーザに与える。
【００１８】
固定板４１および扉４２は、仕切部４において、浴槽１の長手方向の両端部における壁部６０ａおよび６０ｂ、浴槽１の上縁部１０、並びに天井６１に配設された枠体の内側に嵌め込まれている。固定板４１は枠体に固定されている。扉４２は下枠や上枠に設けたレールに沿ってスライド可能としてある。仕切部４は、扉４２を開状態とすることによって、壁部６０ａから浴槽１の長手方向の中央部付近までが開口する。また固定板４１が透明や半透明である場合、パネル４３の裏面を浴槽から見えにくくするために固定板４１に隠蔽用のシートを張ったり、擦りガラスのような表面処理を施してもよい。
【００１９】
固定板４１の周縁部には、浴槽１側から浴槽前床５０側へ漏水しないように、周縁部において枠体との間を水密に封じるシール材、および浴槽前床５０側へ一旦流出した水が浴槽１側へ還流する水返し機構などが枠体も含めて設けられる。固定板４１は、透明性のあるガラス製または樹脂製とすることで耐水性も良くなるが、嗜好に合わせて半透明であってもよい。また、固定板４１は、内側に断熱材等による芯体を設け、該芯体の表面に耐水性のある樹脂や金属製などによる表面材は貼り合わせたサンドウィッチ構造のパネル部材であってもよい。この場合、固定板４１は透明でない構成にもなり得る。
【００２０】
図４はパネル４３の外観を示す斜視図であり、図５は図４に示すＢ−Ｂ線によるパネル４３の断面図である。パネル４３は、パネル面がＬ字状であり、固定板４１を覆う縦部分４３ａと、浴槽前床５０の床面から浴槽１の上縁部１０の高さ付近までを覆う横部分４３ｂからなる。パネル４３の縦部分４３ａは、固定板４１が設けられた浴槽１の上縁部１０の一端側である壁部６０ｂ（または壁部６０ｃ）から、上縁部１０に沿って固定板４１の中途部まで設けられている。パネル４３は、例えば図４に示す点線Ｍ部分で分割された２枚のパネルで構成されていてもよい。分割された下側のパネルは、浴槽１のいわゆるエプロンに相当し、浴槽１に着脱可能に取り付けられ、浴槽１の裏側を隠蔽する意匠カバーとすればよい。分割された下側のパネルを取り外すことによって、浴槽１の裏側に配置された機器の点検や修理等の保守作業を、浴槽１の側面からアクセスして行うことができる構成となっていてもよい。
【００２１】
パネル４３は、芯材４３ｃおよび補強材４３ｄの両面に表面材４３ｅを貼り合わせるようにして構成されている。芯材４３ｃは、例えば、ＥＰＳ（Expanded Polystyrene）、ＸＰＳ（Extruded Polystyrene）などの発泡スチロール等を用い、補強材４３ｄは釘打ちやねじ止め等による機能部品の固定が可能な木材等を用いる。表面材４３ｅは、樹脂または木材等の板またはシートであり、表面にユーザの嗜好に合わせた模様や色付けを施こすことができるものである。
【００２２】
図６（ａ）および（ｂ）は、図２に示すＡ−Ａ線による固定板４１およびパネル４３部分を拡大した断面図である。固定板４１およびパネル４３は、図６（ａ）に示すように間に隙間があってもよいし、図６（ｂ）に示すように密着していてもよい。固定板４１およびパネル４３の間に隙間が有る場合には、隙間部分に電気ケーブルなどを配置してもよい。
【００２３】
洗面器７０は、例えば、一側辺をパネル４３の表面に突き合わせるように設け、該一側辺にシール材を配設する。また、パネル４３に垂直なカウンタを設け、該カウンタに洗面器７０を埋め込む構成としてもよい。パネル４３は、浴槽前床５０側の表面にタオル掛け７５およびフック７６が釘打ち等の固定手段を用いて取り付けられる。
【００２４】
次に浴室ユニット１００の作用について説明する。浴室ユニット１００は、浴槽１側の水仕舞いが固定板４１によって施されていれば、パネル４３は、漏水防止や耐水性を考慮することなく、浴槽前床５０側の機能部品を接続および固定するために用いることができる。
【００２５】
上述のように、洗面器７０は、パネル４３の表面と隙間なく接するように設けることができる。またパネル４３は、釘打ち等の固定手段を用いてタオル掛け７５およびフック７６等の機能部品を取り付けることができる。これにより、パネル４３は、固定板４１の部分の浴槽前床５０側における機能性を高めることができる。
【００２６】
パネル４３は、発泡スチロール等の軽量で断熱性を有する芯材４３ｃを部分的に補強材４３ｄで補完することにより、補強材４３ｄを設けた箇所で、タオル掛け７５およびフック７６等の機能部品を取り付けることができる。尚、パネル４３に取り付けることができる機能部品は、タオル掛け７５およびフック７６に限られず、鏡７３および収納棚７４等をパネル４３に取り付けても良い。
【００２７】
またパネル４３は、浴槽前床５０側の表面にユーザの嗜好に合わせて模様や色を付けることができる。パネル４３は、模様や色が付いたシートまたはクロスを貼り付けるようにしてもよい。浴室ユニット１００は、表面にユーザの嗜好に合わせて模様や色を付けたパネル４３を浴槽前床５０側に設けることで、心地よい空間をユーザに提供することができる。
【００２８】
また、固定板４１および扉４２を透明性のあるガラス材等で構成し、パネル４３を浴槽１の上縁部１０に沿って固定板４１の中途部まで設けることによって、浴室ユニット１００内の見通しが良くなり、空間が広いとの印象をユーザに与えることができる。
【００２９】
また、固定板４１およびパネル４３の間は、密着していてもよいし、隙間があってもよい。固定板４１およびパネル４３の間に隙間が有る場合には、隙間部分に電気ケーブルなどを配置することができる。
【００３０】
（変形例）
図７は、変形例に係る浴室ユニット１００の外観を示す模式図である。この変形例に係る浴室ユニット１００では、パネル４３が横部分４３ｂ（図４参照）有さず、専ら縦部分４３ａによって構成されている。この場合でも、パネル４３は、タオル掛け７５およびフック７６等の機能部品をパネル面に取り付けることができ、固定板４１の部分の浴槽前床５０側における機能性を高めることができる。
【００３１】
またパネル４３は、例えば図７に示す点線Ｎより上側の部分で構成されていてもよい。点線Ｎは浴槽１の上縁部１０の高さの位置にある。パネル４３は、高さ寸法が固定板４１と同等となり、固定板４１と上下方向に位置を合わせて、重なるように配置される。
【００３２】
パネル４３にはユーザの嗜好に合わせて模様や色を付けることができ、浴室ユニット１００は、心地よい空間をユーザに提供することができる。また、固定板４１および扉４２を透明性のあるガラス材等で構成し、パネル４３を浴槽１の上縁部１０に沿って固定板４１の中途部まで設けることによって、浴室ユニット１００内の見通しが良くなり、空間が広いとの印象をユーザに与えることができる。
【００３３】
図８は、別の変形例に係る浴室ユニット１００の図３に相当する断面図である。この変形例に係る浴室ユニット１００は、扉４２を開き戸としたものである。開き戸である扉４２は、浴槽１側へ開くものであっても、浴槽前床５０側へ開くものであってもよい。
【００３４】
この変形例においても、パネル４３は、タオル掛け７５およびフック７６等の機能部品をパネル面に取り付けることができ、固定板４１の部分の浴槽前床５０側における機能性を高めることができ、ユーザの嗜好に合わせて模様や色を付けることができる。
【００３５】
次に、実施形態および変形例に係る浴室ユニット１００の特徴を説明する。
本発明の実施形態の浴室ユニット１００は、湯を溜める浴槽１と、浴槽１の上縁部１０に配設されており、浴槽１と浴槽１に隣接する浴槽前床５０とを仕切る仕切部４とを備える。仕切部４は、上縁部１０の一端側に固定板４１、他端側に開閉可能な扉４２を有し、固定板４１の浴槽前床５０側を覆うパネル４３を備える。これにより、浴室ユニット１００は、パネル４３によって固定板４１の部分の浴槽前床５０側における機能性を高めることができる。
【００３６】
また固定板４１は、浴槽１側から浴槽前床５０側への漏水を抑制しており、パネル４３には、タオル掛け７５およびフック７６等の機能部品が取り付けられる。これにより、浴室ユニット１００は、固定板４１によって浴槽１側から浴槽前床５０側への漏水を抑制し、パネル４３によって浴槽前床５０側の機能性を高めることができる。
【００３７】
また固定板４１は透明性を有し、パネル４３は浴槽１の上縁部１０に沿って一端側から固定板４１の中途部まで設けられている。これにより、浴室ユニット１００は、浴室ユニット１００内の見通しが良くなり、空間が広いとの印象をユーザに与えることができる。
【００３８】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００３９】
１  浴槽、  １０  上縁部、  ４  仕切部、  ４１  固定板、  ４２  扉、
４３  パネル、  ５０  浴槽前床、  ７５  タオル掛け（機能部品）、
７６  フック（機能部品）、  １００  浴室ユニット。
【図１】
2019143410.tif 000003
【図２】
2019143410.tif 000004
【図３】
2019143410.tif 000005
【図４】
2019143410.tif 000006
【図５】
2019143410.tif 000007
【図６】
2019143410.tif 000008
【図７】
2019143410.tif 000009
【図８】
2019143410.tif 000010